(57)【要約】【課題】入力キーの選択に要する操作を簡略化し、利便性を向上させる。【解決手段】ＥＣＵの出力制御部は、記憶部に格納される操作者による複数の入力キーに対する選択履歴に応じて、各グループ毎に対応付けられた複数の入力キー（例えば、「−」，「！」，…，「｛」，「｝」等）のうち最も選択頻度が高い入力キー（例えば、「−」）を各グループ毎の初期選択対象６２およびインデックス６１として設定し、操作者の入力操作によりインデックス６１が選択された場合に、インデックス６１に対応するグループに対応付けられた複数の入力キーを選択頻度に応じた順序に配列して表示する。【選択図】図５
2009122750.tif 000002
【特許請求の範囲】
【請求項１】
操作者の入力操作に応じた指令信号を出力する入力操作手段と、
前記入力操作手段から出力される前記指令信号に応じて選択可能な入力キーを表示画面に表示する表示手段とを備える入力装置であって、
前記表示手段は、
複数の前記入力キーが対応付けられた少なくとも１つ以上のグループに対し、前記グループ毎に対応付けられた前記複数の前記入力キーの何れか１つを前記グループ毎のインデックスとして前記表示画面に表示するインデックス表示手段と、
前記インデックス表示手段により前記表示画面に表示される前記インデックスが前記入力操作手段から出力される前記指令信号に応じて選択された場合に、前記インデックスに対応する前記グループに対応付けられた前記複数の前記入力キーを前記表示画面に表示すると共に、前記複数の前記入力キーの何れか１つを初期選択対象として強調表示するグループ内表示手段と、
前記入力操作手段から出力される前記指令信号に応じた前記入力キーの選択履歴を記憶する記憶手段とを備え、
前記グループ内表示手段は、前記記憶手段に記憶された前記入力キーの前記選択履歴に基づき、前記グループ毎に対応付けられた前記複数の前記入力キーのうち最も選択頻度が高い前記入力キーを前記グループ毎の前記初期選択対象とすることを特徴とする入力装置。
【請求項２】
前記グループ内表示手段は、前記記憶手段に記憶された前記入力キーの前記選択履歴に基づき、前記グループ毎に対応付けられた前記複数の前記入力キーを選択頻度に応じた順序に配列して表示することを特徴とする請求項１に記載の入力装置。
【請求項３】
前記インデックス表示手段は、前記記憶手段に記憶された前記入力キーの前記選択履歴に基づき、前記グループ毎に対応付けられた前記複数の前記入力キーのうち最も選択頻度が高い前記入力キーを前記グループ毎の前記インデックスとすることを特徴とする請求項１または請求項２に記載の入力装置。
【発明の詳細な説明】
【技術分野】
【０００１】
本発明は、入力装置に関する。
【背景技術】
【０００２】
従来、例えば複数の入力キーを所定のグループに振り分け、操作者の入力操作に応じて各グループ毎のインデックスが選択されると、選択されたインデックスに対応するグループに属する入力キーを表示画面に表示する装置が知られている（例えば、特許文献１、特許文献２参照）。
【特許文献１】特開平６−２０２７８４号公報
【特許文献２】特開２００３−２５６１１７号公報
【発明の開示】
【発明が解決しようとする課題】
【０００３】
ところで、上記従来技術の一例に係る装置では、操作者が所望の入力キーを選択するためには、予め、所望の入力キーが属するグループに対して設定されているインデックスを把握しておく必要があり、操作者の操作入力の熟練度が相対的に低い場合には所望の入力キーを迅速に選択することが困難となる虞がある。
しかも、相対的に多数の入力キーが属するグループのインデックスが選択された場合には、これらの入力キーが表示画面に表示される際の配列順序に応じて、所望の入力キーの選択に要する操作が煩雑化してしまう虞があり、入力キーによる文字等の入力に要する時間が過剰に長くなってしまい、利便性が損なわれてしまうという問題が生じる。
【０００４】
本発明は上記事情に鑑みてなされたもので、入力キーの選択に要する操作を簡略化し、利便性を向上させることが可能な入力装置を提供することを目的とする。
【課題を解決するための手段】
【０００５】
上記課題を解決して係る目的を達成するために、本発明の第１態様に係る入力装置は、操作者の入力操作に応じた指令信号を出力する入力操作手段（例えば、実施の形態での入力操作部１４）と、前記入力操作手段から出力される前記指令信号に応じて選択可能な入力キーを表示画面（例えば、実施の形態での表示画面５１ａ）に表示する表示手段（例えば、実施の形態での表示装置５１）とを備える入力装置であって、前記表示手段は、複数の前記入力キーが対応付けられた少なくとも１つ以上のグループに対し、前記グループ毎に対応付けられた前記複数の前記入力キーの何れか１つを前記グループ毎のインデックスとして前記表示画面に表示するインデックス表示手段（例えば、実施の形態での出力制御部４３）と、前記インデックス表示手段により前記表示画面に表示される前記インデックスが前記入力操作手段から出力される前記指令信号に応じて選択された場合に、前記インデックスに対応する前記グループに対応付けられた前記複数の前記入力キーを前記表示画面に表示すると共に、前記複数の前記入力キーの何れか１つを初期選択対象として強調表示するグループ内表示手段（例えば、実施の形態での出力制御部４３が兼ねる）と、前記入力操作手段から出力される前記指令信号に応じた前記入力キーの選択履歴を記憶する記憶手段（例えば、実施の形態での記憶部４１）とを備え、前記グループ内表示手段は、前記記憶手段に記憶された前記入力キーの前記選択履歴に基づき、前記グループ毎に対応付けられた前記複数の前記入力キーのうち最も選択頻度が高い前記入力キーを前記グループ毎の前記初期選択対象とする。
【０００６】
さらに、本発明の第２態様に係る入力装置では、前記グループ内表示手段は、前記記憶手段に記憶された前記入力キーの前記選択履歴に基づき、前記グループ毎に対応付けられた前記複数の前記入力キーを選択頻度に応じた順序に配列して表示する。
【０００７】
さらに、本発明の第３態様に係る入力装置では、前記インデックス表示手段は、前記記憶手段に記憶された前記入力キーの前記選択履歴に基づき、前記グループ毎に対応付けられた前記複数の前記入力キーのうち最も選択頻度が高い前記入力キーを前記グループ毎の前記インデックスとする。
【発明の効果】
【０００８】
本発明の第１態様に係る入力装置によれば、記憶手段に記憶された入力キーの選択履歴に基づき、グループ毎に対応付けられた複数の入力キーのうち最も選択頻度が高い入力キーをグループ毎の初期選択対象とすることから、インデックスが選択された時点で、最も選択頻度が高い入力キーが初期選択対象として選択されることになり、例えばインデックスを選択する入力操作と、複数の入力キーのうちから最も選択頻度が高い入力キーを選択する入力操作との複数の操作を必要とせずに、最も選択頻度が高い入力キーを選択するために要する入力操作を簡略化することができ、入力装置の利便性を向上させることができる。
【０００９】
さらに、本発明の第２態様に係る入力装置によれば、インデックスに対応するグループに対応付けられた複数の入力キーを表示画面に表示する際に、複数の入力キーを選択頻度に応じた順序で表示することから、所望の入力キーの選択に要する入力操作を簡略化することができる。
【００１０】
さらに、本発明の第３態様に係る入力装置によれば、記憶手段に記憶された入力キーの選択履歴に基づき、グループ毎に対応付けられた複数の入力キーのうち最も選択頻度が高い入力キーをグループ毎のインデックスとすることから、操作者の操作入力の熟練度に拘らずに、最も選択頻度が高い入力キーを選択するために要する時間を短縮することができ、入力装置の利便性を向上させることができる。
【発明を実施するための最良の形態】
【００１１】
以下、本発明の入力装置の一実施形態について添付図面を参照しながら説明する。
本実施の形態による入力装置１は、例えば図１に示すように、ナビゲーション装置１０に具備され、このナビゲーション装置１０は、例えば現在位置検出部１１と、地図データ記憶部１２と、入力操作部１４と、ＥＣＵ１５と、出力部１６とを備えて構成されている。そして、入力装置１は、例えば、入力操作部１４と、ＥＣＵ１５と、出力部１６とを備えて構成されている。
【００１２】
現在位置検出部１１は、例えば人工衛星を利用して車両の位置を測定するためのＧＰＳ（Global Positioning System）信号や、例えば適宜の基地局を利用してＧＰＳ信号の誤差を補正して測位精度を向上させるためのＤ（Differential）ＧＰＳ信号等の測位信号を受信する測位信号受信部２１と、水平面内での自車両の向きや鉛直方向に対する傾斜角度（例えば、車両の前後方向軸の鉛直方向に対する傾斜角度や車両重心の上下方向軸回りの回転角であるヨー角等）および傾斜角度の変化量（例えば、ヨーレート等）を検出するジャイロセンサ２２と、車両の速度（車速）を検出する車速センサ２３とを備えて構成され、受信した測位信号によって、あるいは、車速やヨーレート等の検出信号に基づく自律航法の算出処理によって、車両の現在位置を算出する。
【００１３】
地図データ記憶部１２は、例えば出力部１６の表示装置５１の表示画面５１ａ上において地図を表示するための地図データと、道路の接続状態および形状等の情報からなる道路データとを格納している。
地図データは、例えば地形図のデータと、例えば各種の施設および街区および湖沼等に対応したポリゴンのデータと、例えば各ポリゴンに対応付けられた施設名および地名等の文字のデータと、各種の記号のデータとを備えて構成されている。
道路データは、例えばノード（つまり、道路形状を把握するための座標点）および各ノード間を結ぶ線であるリンクと、各リンクの距離と、道路の種別および幅員および交差角度および形状等のデータを備えて構成されている。
【００１４】
入力操作部１４は、例えば図２〜図４に示すように、出力部１６の表示装置５１から下方側にずれた位置でインスツルメントパネルから突出する回転操作部材３１およびスライド操作部材３２を備えて構成されている。
略円筒状の回転操作部材３１は、軸線Ｐ周り（例えば、図３に示す矢印Ｒ方向）に回転可能とされている。
回転操作部材３１の内径よりも小さな外径を有する略円柱状のスライド操作部材３２は、回転操作部材３１と同軸に回転操作部材３１の内部に配置され、スライド操作部材３２の先端部３２ａは、回転操作部材３１の開口端３１ａから突出するように配置され、スライド操作部材３２は、軸線Ｐ方向および軸線Ｐに直交する任意の方向（例えば、図３に示す矢印Ｘ，Ｙ方向）に変位可能とされている。
【００１５】
スライド操作部材３２には、軸線Ｐ方向および軸線Ｐに直交する方向に対して所定の基準位置が設定され、操作者からの入力操作（例えば、軸線Ｐ方向の押下操作、または、軸線Ｐに直交する方向のスライド操作等）が無い場合には、適宜の復帰機構（図示略）により基準位置に自動的に復帰するように設定されている。
また、入力操作部１４は、回転操作部材３１の回転角度および回転速度を検出するエンコーダ等のセンサ（図示略）と、スライド操作部材３２の軸線Ｐ方向および軸線Ｐに直交する方向での各所定変位を検出するセンサ（図示略）とを備え、各センサから出力される検出値の信号はＥＣＵ１５に入力されている。
なお、入力操作部１４は、以上説明したものの他に、例えばタッチパネル式等であってもよい。
【００１６】
ＥＣＵ１５は、例えば記憶部４１と、ナビゲーション処理部４２と、出力制御部４３とを備えて構成されている。
【００１７】
記憶部４１は、例えば現在位置検出部１１から出力される現在位置を記憶すると共に、例えば入力操作部１４に対する操作者の入力操作等によって設定される目的地を記憶する。
また、記憶部４１は、例えば入力操作部１４に対する操作者の入力操作に応じて、複数の目的地のうち、何れか１つの目的地を最終目的地とし、この最終目的地以外の他の目的地を現在位置と最終目的地との間での経由地として記憶すると共に、全ての目的地に対して設定される経由順序を記憶する。
さらに、記憶部４１は、例えば入力操作部１４に対する操作者の入力操作に応じた指令信号によって選択可能な状態で出力部１６の表示装置５１の表示画面５１ａに表示される複数の入力キーに対する選択履歴を記憶する。
【００１８】
ナビゲーション処理部４２は、例えば、地図データ記憶部１２から取得する道路データに対して、現在位置検出部１１から出力される現在位置に基づいてマップマッチングを行うと共に、入力操作部１４に対する操作者の入力操作に応じて設定された目的地に対して経路探索や経路誘導等の処理を実行し、出力部１６の表示装置５１およびスピーカ５２の動作を指示する制御指令を出力する。
出力制御部４３は、例えば、ナビゲーション処理部４２から出力される制御指令あるいは入力操作部１４に対する操作者の入力操作に応じて、出力部１６の表示装置５１およびスピーカ５２を制御する。
【００１９】
この実施の形態によるナビゲーション装置１０に具備される入力装置１は上記構成を備えており、次に、この入力装置１の動作、特に、出力部１６の表示装置５１の表示画面５１ａに複数の入力キーを表示する動作について説明する。
【００２０】
ＥＣＵ１５の出力制御部４３は、例えば図５（ａ）〜（ｄ）に示すように、ナビゲーション装置１０における文字を含む記号の入力状態において、入力操作部１４に対する操作者の入力操作に応じて選択可能な複数の入力キーを出力部１６の表示装置５１の表示画面５１ａに表示する。
例えば図５（ａ）に示す表示画面５１ａのように、ナビゲーション装置１０の所定の工場出荷時の設定では、アルファベットの各文字、および、ゼロから９までの各数字、および、複数の記号が対応付けられたグループの所定のインデックス６１（例えば、「♯」）等の複数の入力キーが選択可能に表示される。そして、この設定では、複数の入力キーが対応付けられたグループの所定のインデックス６１（例えば、「♯」）が操作者により選択されると、選択された所定のインデックス６１が強調表示されると共に、このインデックス６１に対応するグループに対応付けられた複数の入力キー（例えば、「−」，「！」，…，「｛」，「｝」等）が、例えばアルファベットの各文字および各数字およびインデックス６１の上方の位置に表示され、かつ、複数の入力キーの何れか１つ、例えばインデックス６１と同等の入力キー（例えば、「♯」）が初期選択対象６２として、例えばインデックス６１の上方の位置で強調表示され、この初期選択対象６２が操作者の入力操作部１４に対する入力操作により選択されている状態となる。なお、この状態で、例えば操作者による入力操作部１４の回転操作部材３１に対する軸線Ｐ周りの回転操作等が実行されると、複数の入力キー（例えば、「−」，「！」，…，「｛」，「｝」等）において、操作者の入力操作部１４に対する入力操作により選択される入力キーが、順次、切り換わる。
【００２１】
そして、出力制御部４３は、記憶部４１に格納される操作者による複数の入力キーに対する選択履歴に応じて、グループ毎に対応付けられた複数の入力キーのうち最も選択頻度が高い入力キーをグループ毎の初期選択対象６２として設定する。
これにより、例えば図５（ｂ）に示す表示画面５１ａのように、ナビゲーション装置１０の所定の工場出荷時の設定での所定のインデックス６１（例えば、「♯」）に対応するグループに対応付けられた複数の入力キー（例えば、「−」，「！」，…，「｛」，「｝」等）のうち最も選択頻度が高い入力キー（例えば、「−」）が新たな初期選択対象６２として設定される。
【００２２】
さらに、出力制御部４３は、グループ毎に対応付けられた複数の入力キーのうち最も選択頻度が高い入力キーをグループ毎のインデックス６１として設定する。
これにより、例えば図５（ｃ）に示す表示画面５１ａのように、ナビゲーション装置１０の所定の工場出荷時の設定でのインデックス６１（例えば、「♯」）に対応するグループに対応付けられた複数の入力キー（例えば、「−」，「！」，…，「｛」，「｝」等）のうち最も選択頻度が高い入力キー（例えば、「−」）が新たなインデックス６１として設定される。
【００２３】
また、出力制御部４３は、記憶部４１に格納される操作者による複数の入力キーに対する選択履歴に応じて、グループ毎に対応付けられた複数の入力キーを選択頻度に応じた順序に配列して表示する。
これにより、例えば図５（ｄ）に示す表示画面５１ａのように、ナビゲーション装置１０の所定の工場出荷時の設定でのインデックス６１（例えば、「♯」）の換わりに選択頻度が最も高い入力キー（例えば、「−」）による新たなインデックス６１が設定されたグループに対応付けられた複数の入力キー（例えば、「−」，「！」，…，「｛」，「｝」等）は、所定の工場出荷時の設定での配列（例えば、「−」，「！」，「”」，「＃」，「＆」，「’」，「（」，「）」，「〜」，「／」，「＜」，「＞」，「｛」，「｝」）の換わりに選択頻度に応じた配列（例えば、「−」，「／」，「＜」，「＞」，「＆」，「’」，「（」，「）」，「｛」，「｝」，「”」，「＃」，「〜」，「！」）で表示される。
【００２４】
上述したように、本実施の形態による入力装置１によれば、記憶部４１に記憶された入力キーの選択履歴に基づき、グループ毎に対応付けられた複数の入力キーのうち最も選択頻度が高い入力キーをグループ毎の初期選択対象６２とすることから、インデックス６１が選択された時点で、最も選択頻度が高い入力キーが初期選択対象６２として選択されることになり、例えばインデックス６１を選択する入力操作と、複数の入力キーのうちから最も選択頻度が高い入力キーを選択する入力操作との複数の操作を必要とせずに、最も選択頻度が高い入力キーを選択するために要する入力操作を簡略化することができ、入力装置１の利便性を向上させることができる。
さらに、記憶部４１に記憶された入力キーの選択履歴に基づき、グループ毎に対応付けられた複数の入力キーのうち最も選択頻度が高い入力キーをグループ毎のインデックス６１とすることから、操作者の操作入力の熟練度に拘らずに、最も選択頻度が高い入力キーを選択するために要する時間を短縮することができ、入力装置１の利便性を向上させることができる。
さらに、インデックス６１に対応するグループに対応付けられた複数の入力キーを表示画面５１ａに表示する際に、複数の入力キーを選択頻度に応じた順序で配列して表示することから、所望の入力キーの選択に要する入力操作を簡略化することができる。
【図面の簡単な説明】
【００２５】
【図１】本発明の一実施形態に係る入力装置の構成図である。
【図２】本発明の一実施形態に係る入力装置の入力操作部の配置状態の一例を示す図である。
【図３】本発明の一実施形態に係る入力装置の入力操作部の斜視図である。
【図４】本発明の一実施形態に係る入力装置の入力操作部の断面図である。
【図５】本発明の一実施形態に係る入力装置の表示装置の表示画面の例を示す図である。
【符号の説明】
【００２６】
１  入力装置
１０  ナビゲーション装置
１４  入力操作部（入力操作手段）
４１  記憶部（記憶手段）
４３  出力制御部（インデックス表示手段、グループ内表示手段）
５１  表示装置（表示手段）
５１ａ  表示画面
【図１】
2009122750.tif 000003
【図２】
2009122750.tif 000004
【図３】
2009122750.tif 000005
【図４】
2009122750.tif 000006
【図５】
2009122750.tif 000007